【事件の表示】
　特許第３１７９１５８号「背負式動力噴霧機の間欠散布装置」の請求項１に係る特許に対する特許異議の申立てについて、次のとおり決定する。
【結　論】
　特許第３１７９１５８号の請求項１に係る特許を維持する。
【理　由】
１．手続きの経緯
　特許第３１７９１５８号の請求項１に係る発明についての出願は、平成３年１２月４日に特許出願され、平成１３年４月１３日にその特許権の設定登録がなされ、その後、株式会社　共立　より特許異議の申立てがなされたものである。
２．特許異議の申立てについての判断
（１）申立ての理由の概要
　特許異議申立人　株式会社　共立　は、
甲第１号証：実開昭５８−１１９８６９号公報
甲第２号証：実開平３−２６３７０号公報
甲第３号証：特開昭５４−４７６５号公報
甲第４号証：特開昭５７−１８４４６３号公報
甲第５号証：実願昭６３−１０１４４７号（実開平２−２５０６４号）のマイクロフイルム
を提出して、特許第３１７９１５８号の請求項１に係る発明は、特許法第２９条第２項の規定により特許を受けることができないものであり、請求項１に係る発明についての特許は拒絶の査定をしなければならない特許出願に対してされたものであるから、特許を取り消すべき旨主張している。
（２）請求項１に係る発明
　本件特許第３１７９１５８号の請求項１に係る発明は、明細書の特許請求の範囲の請求項１に記載された事項により特定される以下のとおりのものである。
　「【請求項１】　バッテリーを電源とした背負式動力噴霧機において、電磁弁１とＯＮ／ＯＦＦタイマーＴとコントローラＣとを設け、ＯＮ／ＯＦＦタイマーＴの設定時間毎に、コントローラＣにより制御されている電磁弁１がＯＮ、ＯＦＦ状態に制御されることにより電磁弁１が開閉され、噴口部４から吐出される薬剤を間欠的に散布可能な構成とし、更に、作物を検知するセンサー５を噴口部４に設け、該センサー５を作物に近づけて反応させ、コントローラＣを作動させることにより、センサー５が作物を検知している間は、前記ＯＮ／ＯＦＦタイマーＴに設定した電磁弁１の開閉時間に合わせて自動的に電磁弁１の開閉を行うべく構成したことを特徴とする背負式動力噴霧機の間欠散布装置。」
（３）甲第１号証〜甲第５号証に記載の事項
Ａ．甲第１号証（実開昭５８−１１９８６９号公報）には、以下の記載がある。
Ａ−ア．「実用新案登録請求の範囲
　注液口を有するタンクと、このタンクの下部に位置して取付けられ、かつ電源電池、電源スイッチ、ポンプユニット、環流弁およびドレン部を収納するケ−スとを備え、前記ケース内に仕切壁を設け、この仕切壁より一方側に電源電池と電源スイッチを配設し、かつ仕切壁より他方側に、ホースでそれぞれ接続されたポンプユニット、環流弁およびドレン部を配設した電動噴霧器。」
Ａ−イ．「図面の簡単な説明
　第１図は本考案の一実施例における電動噴霧器の下部を断面で示した正面図、第２図は同噴霧器の側面図、第３図は同噴霧器におけるケースの上面図である。
　１‥‥‥タンク、２‥‥‥注液口、３‥‥‥ドレン部、４‥‥‥ポンプユニット、５‥‥‥電源電池、６‥‥‥ケース、８‥‥‥電源スイッチ、１０‥‥‥環流弁、１４‥‥‥仕切壁。」
Ｂ．甲第２号証（実開平３−２６３７０号公報）には、以下の記載がある。
Ｂ−ア．「実用新案登録請求の範囲
　ブロー成形した薬剤タンクＡの背面側下部には背当１を張設するとともに、薬剤夕ンクＡの下部側内方部にバツテリ２やモータポンプ３を装備して構成する背負形動力噴霧機において、前記薬剤タンクＡの背面側下部には背面側に開口する凹部Ｂを形成し、該凹部Ｂ内に前記バツテリ２やモータポンプ３を装備するとともに、凹部Ｂの開口側を閉塞できるように前記背当て１を着脱自在に張設して構成したことを特徴とする電動式背負形動力噴霧機。」
Ｂ−イ．「図面の簡単な説明
　第１図は本考案の実施例である要部の側断面図、第２図は動力噴霧機の背面図、第３図はその一部の平断面図、第４図、第５図および第６図は第１図、第２図および第３図の分解図をそれぞれ示す。
　Ａ‥‥‥薬剤タンク、１‥‥‥背当て、２‥‥‥バツテリ、３‥‥‥モータポンプ、Ｂ‥‥‥凹部。」
Ｃ．甲第３号証（特開昭５４−４７６５号公報）には、以下の記載がある。
Ｃ−ア．「この発明は土壌改良剤、農薬、肥料等の薬材を土壌に注入するのに使用する薬剤注入車に関する。」（第１頁左下欄第１９〜右下欄第１行。）
Ｃ−イ．「また同時にリミツトスイッチＬＳ１の感知信号を受けて作動する図示しない第１タイマーが作動し、この第１タイマーの指示によってその作動中電磁弁３２が作動し、油圧油が流量調整弁３３を経て油圧モータ６を駆動し、これによつてプランジャーポンプ５が作動して薬剤収容タンク４からこれに収容された薬剤を低速回転している第１オーガー３に高圧注入してその透孔１９から薬剤が土壌中に噴射される。この第１オーガー３の薬剤の噴射は、前記第１タイマーに設定したその作動時間中行なわれ、作動後油圧モーター６は電磁弁３２の作動により停止する。この第１タイマーの作動後これによつて電磁弁２９、切替弁３０がそれぞれ前記とは逆に作動してプランジャーポンプ５から第１オーガー３に通ずる管路を閉じ、第２オーガー３′に通ずる管路を開いて再び電磁弁３２を作動させて、油圧モータ６を駆動しプランジャーポンプ５が作動して第２オーガー３′が第１オーガー３と同様に土壌中に薬剤を噴射する。」（第２頁右下欄第４〜第３頁左上欄第３行。）
Ｃ−ウ．「前記第２オーガー３′の薬剤の噴射は、前記第１タイマーに設定した作動時間中行なわれ、この第１タイマーの作動後これによって電磁弁３２が作動して油圧モータ６の駆動を停止し、これによつて第２オーガー３′の噴射が停止する。」（第３頁左上欄第４〜８行。）
Ｃ−エ．「前記動作を車輌１を順次移動させながら繰返えして薬剤注入作業を行なう。」（第３頁右上欄第２、３行。）
Ｄ．甲第４号証（特開昭５７−１８４４６３号公報）には、以下の記載がある。
Ｄ−ア．「この発明は薬液散布車の散布薬液の所要物体にのみ有効散布する自動発停装置に関するものである。」（第１頁左下欄第１１〜１３行。）
Ｄ−イ．「第２図は電気実体配線図であり、投光部２１、受光部２２、検出部２３および出力回路を組み込んだ光電スイッチ９、９′と、電磁リレーＲＡ、ＲＢおよび電磁接点ＲＡ′、ＲＢ′を組込んだ自動制御ボックス８と、電磁ソレノイド１２、１２′、散布ノズル１１、１１′とからなる。
　光電スイッチ９は投光部２１から発振回路により駆動された発光ダイオード２４の変調光をレンズを通して発振させる。果樹木１３である物体が検出距離内に入ると、変調光が物体から反射されて受光部２２に入光される。変調光が受光部２３に入光されるとフォット・トランジスター２５で増巾され検出部２３に送られる。検出部２３の同期検波回路では、入光した信号から発振信号と同じ変調信号を取り出してこの信号を積分と波形整形回路を通して出力回路に送り出力回路のパワートランジスタを動作させて電圧信号を出す。
　この電圧信号の電圧が自動制御ボックス８に装備された電磁リレーＲＡに印加されて動作すると、接点ＲＡが閉となり、電磁ソレノイド１２が励磁されてＯＮとなって弁が開となり、散布液が散布ノズル１１より噴霧される。そして物体が消滅すると光ビームが反射しないので、受光部２２は動作せずただちに電磁ソレノイド１２はＯＦＦとなり散布液は停止する。他側に設けた光電スイッチ９′回路に於いても同様の動作をする。」（第２頁左上欄第１３〜右上欄第２０行。）
Ｄ−ウ．「以上のように光電スイッチを送風ダクトに連結した除湿ケースに被覆させて常時送風を吹きつけて薬液の進入や凍結を防止しながら、果樹木の物体を感知した時のみ噴霧し、物体が消滅した時はただちに停止するように構成したので、無駄な薬液の噴霧は一切なくなり、光電スイッチは常時、除湿された環境で確実な動作を保持する。」（第２頁左下欄第８〜１５行。）
Ｅ．甲第５号証（実願昭６３−１０１４４７号（実開平２−２５０６４号）のマイクロフイルム）には、以下の記載がある。
Ｅ−ア．「本考案は例えばトラクタなどに装備してタンクの薬剤を散布機により散布口から散布する防除装置に関する。」（第１頁第１１〜１３行。）
Ｅ−イ．「作物（５７）の大きさ等により前記噴霧バルブ（２５）の開度及び回動時間を初期設定する噴霧量・時間設定器（６３）」（第８頁第７〜９行。）
Ｅ−ウ．「また、前記手動噴霧スイッチ（６５）がオフの状態で自動噴霧制御が行われるもので、カメラ（４５）で撮像した作物（５７）画像を２値化回路（６１）により２値化処理し、パターン認識回路（６２）により２値化後の作物（５７）画像と標準パターンとを対比し、作物（５７）の存在並びに大きさを検出して入力する。
　そして、作物（５７）が検出されたとき、作物（５７）の大きさが演算され、作物（５７）が標準より大きく散布口（２８）が低いとき、昇降モータ（３３）により散布口（２８）を上昇制御する一方、作物（５７）が標準より小さく散布口（２８）が高いとき、昇降モータ（３３）により散布口（２８）を下降制御し、散布口（２８）の地上高を変化させて作物（５７）の大きさに比例させて噴霧高さを自動的に調節する。」（第１２頁第１８〜第１３頁第１１行。）
Ｅ−エ．「また、カメラ（４５）によって撮像する作物（５７）の中心と散布口（２８）の噴霧中心とが一致したとき、噴霧高さに基づいて噴霧量及び噴霧時間が演算されるもので、散布口（２８）の地上高又は作物（５７）の大きさに比例した噴霧量を得るように噴霧バルブ（２５）を開動調節すると共に、走行変速機（１６）を作動させて走行速度を低速に切換制御し、作物（５７）に対し上方の散布口（２８）から薬液を精密噴霧する一方、散布口（２８）の地上高に比例して変更される噴霧時間が経過したとき、走行速度を高速側に戻す速度復帰制御を行い、また噴霧バルブ（２５）を閉動し、次の噴霧対象作物（５７）位置にトラクタ（１）を移動させ、前記の自動噴霧制御を繰返し行わせるものである。」（第１３頁第１２〜第１４頁第５行。）
Ｅ−オ．「なお、作物（５７）の存在を確認して薬液噴霧を行うとき、トラクタ（１）を一定時間だけ停止させることも行えると共に、散布口（２８）の地上高に比例させて作物（５７）への薬液噴霧時間を変更するとき、設定器（６３）の時間を基準にして噴霧時間を演算させる。また、作物（５７）がないとき、薬液散布を中止させたが、作物（５７）の有無により噴霧量を変更し、作物（５７）がないときは噴霧量を減少又は微量にすることも行える。」（第１４頁第６〜１４行。）
（４）対比・判断
　請求項１に係る発明は、背負式動力噴霧機の電磁弁の開閉制御について、「（作物を検知するセンサー５を噴口部４に設け、該センサー５を作物に近づけて反応させ、）センサー５が作物を検知している間は、ＯＮ／ＯＦＦタイマーＴに設定した電磁弁１の開閉時間に合わせて自動的に電磁弁１の開閉を行う」ことを特徴としている。
　そこで、この点について、甲第１号証〜甲第５号証を検討する。
　甲第１号証及び甲第２号証には動力噴霧機について記載されている。
　しかしながら、甲第１号証及び甲第２号証には、動力噴霧機の電磁弁の開閉を制御することについて記載がなく、また、それを示唆する記載もない。
　甲第３号証には薬剤注入車の薬剤注入に係る電磁弁をタイマーで開閉制御することについて記載されている。
　しかしながら、甲第３号証のものは、リミットスイッチＬＳ１をトリガーとして、タイマーを作動させ、タイマーの作動により薬剤の注入を開始するとともに、タイマーのタイムアップにより、薬剤の注入を終了するもので、センサーは備えていないのであるから、請求項１に係る発明のように、「（作物を検知するセンサー５を噴口部４に設け、該センサー５を作物に近づけて反応させ、）センサー５が作物を検知している間は、ＯＮ／ＯＦＦタイマーＴに設定した電磁弁１の開閉時間に合わせて自動的に電磁弁の開閉を行う」ものではない。そして、「（作物を検知するセンサー５を噴口部４に設け、該センサー５を作物に近づけて反応させ、）センサー５が作物を検知している間は、ＯＮ／ＯＦＦタイマーＴに設定した電磁弁１の開閉時間に合わせて自動的に電磁弁の開閉を行う」ことについては記載がなく、また、それを示唆する記載もない。
　甲第４号証には薬液散布車の薬液散布に係る電磁弁を光電スイッチで開閉制御することについて記載されている。
　しかしながら、甲第４号証のものは、果樹木１３である物体が光電スイッチ９の検出距離内に入ると電磁ソレノイド１２が励磁されてＯＮとなって弁が開となり、散布液が散布ノズル１１より噴霧され、そして物体が消滅すると光電スイッチ９が動作せず電磁ソレノイド１２はＯＦＦとなり散布液は停止するもので、タイマーは備えていないのであるから、請求項１に係る発明のように、「（作物を検知するセンサー５を噴口部４に設け、該センサー５を作物に近づけて反応させ、）センサー５が作物を検知している間は、ＯＮ／ＯＦＦタイマーＴに設定した電磁弁１の開閉時間に合わせて自動的に電磁弁の開閉を行う」ものではない。そして、「（作物を検知するセンサー５を噴口部４に設け、該センサー５を作物に近づけて反応させ、）センサー５が作物を検知している間は、ＯＮ／ＯＦＦタイマーＴに設定した電磁弁１の開閉時間に合わせて自動的に電磁弁の開閉を行う」ことについては記載がなく、また、それを示唆する記載もない。
　甲第５号証には防除装置の薬剤散布に係る噴霧バルブ（２５）を、カメラ（４５）と噴霧量・時間設定器（６３）を組み合わせ、演算処理を通して開閉制御することについて記載されている。
　しかしながら、甲第５号証のものは、カメラ（４５）で作物（５７）を撮像し、作物（５７）の存在並びに大きさを検出したうえ、撮像する作物（５７）の中心と散布口（２８）の噴霧中心とが一致したとき、噴霧高さに基づいて噴霧量及び噴霧時間を演算し噴霧バルブ（２５）を開動調節すると共に、作物（５７）に対し上方の散布口（２８）から薬液を精密噴霧する一方、噴霧時間が経過したとき噴霧バルブ（２５）を閉動するもので、カメラ（４５）で作物（５７）を撮像することは、噴霧バルブ（２５）を開動調節することには関わっているが、噴霧開始後に噴霧バルブ（２５）を閉動することには該撮像の時間的変化は関わっておらず、この噴霧バルブ（２５）の閉動は、演算された噴霧時間の経過に依拠するものであるから、請求項１に係る発明のように、「（作物を検知するセンサー５を噴口部４に設け、該センサー５を作物に近づけて反応させ、）センサー５が作物を検知している間は、ＯＮ／ＯＦＦタイマーＴに設定した電磁弁１の開閉時間に合わせて自動的に電磁弁の開閉を行う」ものではない。そして、「（作物を検知するセンサー５を噴口部４に設け、該センサー５を作物に近づけて反応させ、）センサー５が作物を検知している間は、ＯＮ／ＯＦＦタイマーＴに設定した電磁弁１の開閉時間に合わせて自動的に電磁弁の開閉を行う」ことについては記載がなく、また、それを示唆する記載もない。
　したがって、以上に見たように、請求項１に係る発明の、背負式動力噴霧機の電磁弁の開閉制御の態様は、電磁弁の開閉制御の態様の記載がないものも含めて甲第１号証〜甲第５号証のいずれに記載されたものとも相違している。そしてこの背負式動力噴霧機の電磁弁の開閉制御の態様は、甲第１号証〜甲第５号証に記載されたものから当業者が容易に想起し得たものとも考えられない。
　よって、請求項１に係る発明は、甲第１号証〜甲第５号証に基づいて当業者が容易に発明をすることができたものではない。
（５）むすび
　以上のとおりであって、請求項１に係る発明についての特許は、特許異議の申立ての理由及び証拠によっては取り消すことはできない。
　また、他に請求項１に係る発明についての特許を取り消すべき理由を発見しない。
　したがって、請求項１に係る発明についての特許は拒絶の査定をしなければならない特許出願に対してされたものではない。　
　よって、結論のとおり決定する。
【異議決定日】
平成１４年９月３０日（２００２．９．３０）